(57)【特許請求の範囲】
【請求項１】
把手を備えるロッドに接続される清掃ヘッドを備える清掃用具において、
前記清掃ヘッドは、前記ロッドに接続される板状の清掃ヘッド本体と、前記清掃ヘッド本体の外周縁部に軸支され、前記清掃ヘッド本体の上面の一部を覆う格納位置から回動可能な回動板とを備え、
前記清掃ヘッド本体の上面には、第１の装着部が設けられ、
前記回動板の前記格納位置での上面には、第２の装着部が設けられ、
前記清掃ヘッド本体の底面に巻付けられた清掃シートの一端部を前記第１の装着部に着脱可能である一方、他端部を前記第２の装着部に着脱可能であり、
前記回動板は、該回動板による清掃のために、前記格納位置から該回動板と前記清掃ヘッド本体のなす角度が９０〜１５０°となる最大回転位置まで付勢力によって回動可能であることを特徴とする清掃用具。
【請求項２】
前記回動板と前記清掃ヘッド本体との間には、前記回動板を前記格納位置に保持する保持状態と、前記保持を解除する解除状態とを切替え可能なストッパが設けられている、請求項１に記載の清掃用具。
【発明の詳細な説明】
【技術分野】
【０００１】
本発明は、把手を備えるロッドに接続される板状の清掃ヘッドを備える清掃用具に関し、特に、床面のみならず、床面に近い壁面等の清掃にも適合させようとするものである。
【背景技術】
【０００２】
従来、家庭やオフィスなどでフローリングや畳などの床面を清掃するための清掃用具として、把手を備えるロッドに接続される板状の清掃ヘッドを備えるものが知られている。
【０００３】
このような清掃用具は、例えば特許文献１に記載されるように、清掃ヘッドの底面に巻付けられた清掃シートの一端部及び他端部をそれぞれ清掃ヘッドの上面に着脱できるようになっている。そして、清掃シートを巻き付けた清掃ヘッドの底面を床面に押しつけつつ滑らせて清掃するようになっている。
【先行技術文献】
【特許文献】
【０００４】
【特許文献１】実用新案登録第２５０７３００号公報
【発明の概要】
【発明が解決しようとする課題】
【０００５】
しかしながら、特許文献１に記載されるような従来の清掃用具は、床面の清掃には適しているが、床面に近い壁面等を清掃するには使い難いところがあった。すなわち、このような壁面等も清掃したい場合には、床面の清掃とは別個に、このような壁面等に対しても清掃ヘッドの底面を押しつけて清掃する必要があった。
【０００６】
本発明は、前記の現状に鑑み開発されたもので、床面のみならず、床面に近い壁面等の清掃にも適した清掃用具を提供することを目的とする。
【課題を解決するための手段】
【０００７】
すなわち、本発明の要旨構成は以下のとおりである。
１．把手を備えるロッドに接続される清掃ヘッドを備える清掃用具において、
前記清掃ヘッドは、前記ロッドに接続される板状の清掃ヘッド本体と、前記清掃ヘッド本体の外周縁部に軸支され、前記清掃ヘッド本体の上面の一部を覆う格納位置から回動可能な回動板とを備え、
前記清掃ヘッド本体の上面には、第１の装着部が設けられ、
前記回動板の前記格納位置での上面には、第２の装着部が設けられ、
前記清掃ヘッド本体の底面に巻付けられた清掃シートの一端部を前記第１の装着部に着脱可能である一方、他端部を前記第２の装着部に着脱可能であり、
前記回動板は、該回動板による清掃のために、前記格納位置から該回動板と前記清掃ヘッド本体のなす角度が９０〜１５０°となる最大回転位置まで付勢力によって回動可能であることを特徴とする清掃用具。
【００１０】
２．前記回動板と前記清掃ヘッド本体との間には、前記回動板を前記格納位置に保持する保持状態と、前記保持を解除する解除状態とを切替え可能なストッパが設けられている、前記１の清掃用具。
【発明の効果】
【００１１】
本発明によれば、清掃ヘッド本体の底面に清掃シートを巻付け、清掃シートの一端部を第１の装着部に装着する一方、他端部を第２の装着部に装着することで、回動板を格納位置に回動させた状態では、清掃ヘッド本体の底面によって清掃シートを床面に押しつけつつ滑らせて床面を清掃することができる。また、この状態から回動板を回動させれば、清掃ヘッド本体の底面によって清掃シートを床面に押しつけつつ滑らせて床面を清掃できるだけでなく、回動板によって清掃シートを前記壁面等に押しつけつつ滑らせて前記壁面等を清掃することもできる。
【００１２】
したがって、本発明によれば、床面のみならず、床面に近い壁面等の清掃にも適した清掃用具を提供することができる。
【図面の簡単な説明】
【００１３】
【図１】本発明の一実施形態に係る清掃用具の清掃ヘッドの上面図であり、回動板を格納位置に回動させた状態を示す。
【図２】図１に示す清掃ヘッドを回動板の回動軸に沿って見た側面図であり、回動板を格納位置に回動させた状態を実線で示し、回動板を起立位置まで回動させた状態を二点鎖線で示す。
【図３】図１に示す清掃ヘッドを回動板の回動軸側から見た側面図であり、回動板を格納位置に回動させた状態を実線で示し、回動板を起立位置まで回動させた状態を二点鎖線で示す。
【図４】図１に示す清掃用具を用いて床面及び床面に近い壁面等を清掃する様子を示す一部側面図である。
【発明を実施するための形態】
【００１４】
以下、図１〜図４を参照して、本発明の一実施形態に係る清掃用具について詳細に例示説明する。
図１〜図３に示すように、本実施形態に係る清掃用具１は、家庭やオフィスなどでフローリングや畳、カーペットなどの床面、及び床面に近い壁面等を清掃するために用いられるものであり、把手を備えるロッドの先端部に自在継手を介して接続される清掃ヘッド２を備えている。なお、本実施形態では、清掃用具１は、自在継手を有するタイプのものとして構成されているが、このような構成に代えて、例えば、把手を備えるロッドの先端部に直接、清掃ヘッド２が固定されたハンディタイプとして構成することも可能である。
【００１５】
清掃ヘッド２は、前記ロッドの先端部に自在継手を介して接続される板状の清掃ヘッド本体３を備えている。また、清掃ヘッド２は、清掃ヘッド本体３の外周縁部に軸支され、清掃ヘッド本体３の上面の一部を覆う格納位置から回動可能な回動板４を備えている。
【００１６】
本例では、回動板４は、清掃ヘッド本体３から起立する起立位置まで回動可能になっている。ここに、起立位置とは、回動板４と清掃ヘッド本体３のなす角度が１００°程度となる位置を意味する。
【００１７】
清掃ヘッド本体３は、本例では、清掃ヘッド本体３の上面を形成する保持板５と、清掃ヘッド本体３の底面を形成する底板６とを備えている。保持板５は例えばＡＢＳ樹脂などの剛性材料からなり、底板６は例えばウレタンゴムなどの柔軟な弾性材料からなっている。保持板５及び底板６は、インサート成形により一体に形成することが好ましいが、別体に形成して接着又は嵌合により一体化してもよい。保持板５の上面には、前記した自在継手が接続される軸受け部５ａが形成されている。
【００１８】
清掃ヘッド本体３は、上面視において、本例では２つの直線状の端縁と外周側に凸となる２つの円弧状の端縁とからなる略長方形状をなしており、前記２つの直線状の端縁が長辺側に位置している。なお、この略長方形状をなす清掃ヘッド本体３の四隅部は、弾性材料からなっている（本例では、弾性材料からなる底板６の四隅部で構成されている）ため、清掃ヘッド本体３を前記壁面等にぶつけた場合でも、前記壁面等を傷つけにくくすることができる。回動板４は、格納位置において、上面視長方形状をなしており、保持板５に形成された凹部内に収容されている。また、回動板４は、回動軸４ａを介して保持板５に軸支されており、回動軸４ａの回動軸線Ｏは、清掃ヘッド本体３の前記した２つの直線状の端縁のうちの一方に沿って延在している。
【００１９】
清掃ヘッド本体３の上面には、清掃シートＳを着脱可能な第１の装着部７が設けられている。本例では、第１の装着部７は、上面視において回動板４の回動軸線Ｏの反対側に位置する２つの角部に設けられた２つの装着部材８の天面部８ａとして構成されている。装着部材８は、天面部８ａから垂下する周壁部を備えており、該周壁部を清掃ヘッド本体３に設けられた凹部又は貫通孔に嵌め込むことで、清掃ヘッド本体３に取り付けられている。装着部材８は、柔軟な弾性材料からなっており、天面部８ａに形成されたスリット９に清掃シートＳを押し込むことで、清掃シートＳを清掃ヘッド本体３に装着できるようになっている。なお、清掃シートＳは、例えば不織布などによって構成することができる。
【００２０】
また、回動板４の格納位置での上面には、清掃シートＳを着脱可能な第２の装着部１０が設けられている。本例では、第２の装着部１０は、上面視において回動板４の回動軸線Ｏ側に位置する２つの角部に設けられた２つの装着部材１１の天面部１１ａとして構成されている。
【００２１】
装着部材１１は、前述した装着部材８の場合と同様に、天面部１１ａから垂下する周壁部を備えており、該周壁部を回動板４に設けられた貫通孔に嵌め込むことで、回動板４に取り付けられている。装着部材１１は、やはり前述した装着部材８の場合と同様に、柔軟な弾性材料からなっており、天面部１１ａに形成されたスリット１２に清掃シートＳを押し込むことで、清掃シートＳを回動板４に装着できるようになっている。なお、清掃ヘッド本体３には、スリット１２に押し込まれた清掃シートＳとの干渉を避けるために、装着部材１１に対応する位置に凹部又は貫通孔を設けてもよい。
【００２２】
このように、清掃用具１は、清掃ヘッド本体３の底面に巻付けられた清掃シートＳの一端部Ｓａを第１の装着部７に着脱可能である一方、他端部Ｓｂを第２の装着部１０に着脱可能になっている。
【００２３】
また、回動板４には、該回動板４を格納位置から回動させる付勢力を付与することが好ましい。このような付勢力は、例えば、図２に示したように、鋏形ばね１３を回動軸４ａに取り付けることで付与することができる。
【００２４】
さらに、回動板４と清掃ヘッド本体３との間には、回動板４を格納位置に保持する保持状態と、前記保持を解除する解除状態とを切替え可能なストッパ１４（図１参照）を設けることが好ましい。なお、ストッパ１４は、図１に示したようなスライドタイプに限られず、例えば回動タイプとしてもよい。
【００２５】
かかる構成になる本実施形態に係る清掃用具１によれば、清掃ヘッド本体３の底面に清掃シートＳを巻付け、清掃シートＳの一端部Ｓａを第１の装着部７に装着する一方、他端部Ｓｂを第２の装着部１０に装着することで、回動板４を格納位置に回動させた状態では、清掃ヘッド本体３の底面によって清掃シートＳを床面に押しつけつつ滑らせて床面を清掃することができる。
【００２６】
また、本例では、回動板４を清掃ヘッド本体３から起立する起立位置まで回動可能に構成しているため、起立位置まで回動させた回動板４をそのまま前記壁面等に向かって押しつければ、図４に示すように、清掃ヘッド本体３の底面によって清掃シートＳを床面に押しつけつつ滑らせて床面を清掃できるだけでなく、回動板４によって清掃シートＳを前記壁面等に押しつけつつ滑らせて前記壁面等を清掃する（すなわち、前記壁面等に付着した埃等を拭き取る）こともできる。
【００２７】
ここに、回動板４は、回動板４と清掃ヘッド本体３のなす角度が好ましくは９０〜１５０°、より好ましくは９０〜１２０°となる位置まで回動可能に構成することができ、このような角度まで回動可能に構成することで、回動板４を垂直な壁面に押し当てたときに回動板４をスムーズに立ち上がらせることができる。
【００２８】
また、回動板４を、起立位置の手前の位置まで回動可能に構成した場合には、床面に対して鋭角をなす壁面等に回動板４をスムーズに追従させて拭けるようにすることができる。また、回動板４を、起立位置を超え、且つ、回動板４と清掃ヘッド本体３とのなす角度が１８０°未満となる位置まで回動可能に構成した場合には、床面に対して鈍角をなす壁面等に回動板４をスムーズに追従させて拭けるようにすることができる。さらに、回動板４を、回動板４と清掃ヘッド本体３とのなす角度が１８０°以上となる位置まで回動可能に構成した場合には、床面を、清掃ヘッド本体３の底面のみならず、回動板４によっても清掃することが可能となり、広い床面を清掃し易くすることができる。また、清掃用具１には、使用者の操作に応じて回動板４の最大回転位置を調整可能にする可変機構を設けることもできる。このような可変機構を設けた場合には、清掃対象面に応じて最適な最大回転角度を選択することが可能となる。
【００２９】
また、回動板４に、該回動板４を格納位置から回動させる付勢力を付与するように構成した場合には、前記壁面等の清掃時に、より確実に、回動板４を前記壁面等に向かって押しつけることが可能となる。また、この場合、前記付勢力は、回動板４を前記壁面等に向かって押しつけたときに適度に押し戻されて前記壁面等を傷つけない程度の大きさに設定することが好ましい。
【００３０】
さらに、図１に示したように、回動板４と清掃ヘッド本体３との間に、回動板４を格納位置に保持する保持状態と、前記保持を解除する解除状態とを切替え可能なストッパ１４を設けた場合には、回動板４の不使用時に、回動板４の格納状態をストッパ１４によって確実に保持することが可能となる。
【００３１】
また、本例では、把手を備えるロッドの先端部と清掃ヘッド２との接続部（より具体的には軸受け部５ａ）が清掃ヘッド２の中央から、回動板４の回動軸線Ｏの対向側に寄せて配置されている。したがって、回動板４の面積をより大きく設定し、回動板４を立ち上げたときの立ち上げ幅を拡大することができるため、前記壁等の清掃領域を拡大することが可能となる。また、本例では、第２の装着部１０とは、回動板４が格納位置にあるときに第１の装着部７に対して清掃ヘッド２の中央を挟んで対称となる位置に配置する場合よりも、清掃ヘッド２の中央側に寄せて配置されている。したがって、回動板４を立ち上げたときにより高い位置で清掃シートＳを保持することができるため、前記壁等の清掃領域を拡大することができる。
【００３２】
前述したところは本発明の一実施形態を示したにすぎず、特許請求の範囲において、種々の変更を加えることができる。例えば、前述した実施形態では第１の装着部７は２箇所に設けられているが、必ずしも２箇所に限られず、１箇所或いは３箇所以上に設けてもよい。また、第２の装着部１０についても、第１の装着部７の場合と同様に、１箇所或いは３箇所以上に設けてもよい。さらに、第１の装着部７及び第２の装着部１０は、前述した実施形態では、柔軟な弾性材料からなる装着部材８，１１のスリット９，１２を備える天面部８ａ，１１ａによって構成したが、必ずしもこのような構成に限られない。すなわち、例えば、ヒンジを介して回動し、清掃シートＳを挟み込んで固定できる固定具などを第１の装着部７及び第２の装着部１０のうちの少なくとも一方として清掃ヘッド２に設けてもよい。
【００３３】
また、前述した実施形態では、回動板４の回動軸４ａは保持板５に側方から嵌め込まれているが、回動板４を清掃ヘッド本体３に軸支するための回動軸の構成はこのような構成に限られない。例えば、保持板５に上方に開口するＣ字状の軸受け部を形成し、該軸受け部に上方から回動板４の回動軸４ａを嵌め込む構成としてもよいし、その他の構成を採用してもよい。
【符号の説明】
【００３４】
１  清掃用具
２  清掃ヘッド
３  清掃ヘッド本体
４  回動板
４ａ  回動軸
５  保持板
５ａ  軸受け部
６  底板
７  第１の装着部
８  装着部材
８ａ  天面部
９  スリット
１０  第２の装着部
１１  装着部材
１１ａ  天面部
１２  スリット
１３  鋏形ばね
１４  ストッパ
Ｏ  回動軸線
Ｓ  清掃シート
Ｓａ  清掃シートの一端部
Ｓｂ  清掃シートの他端部
【図１】
0006644467.tif 000002
【図２】
0006644467.tif 000003
【図３】
0006644467.tif 000004
【図４】
0006644467.tif 000005